(57)【要約】【課題】サービス無中断で伝送システムの移行を実現する伝送システムの移行技術を提供する。【解決手段】冗長化された第１通信線により下位伝送装置に接続される運用中の第１伝送装置を第２伝送装置に置き換える伝送装置の置き換え方法に関し、当該置き換え方法が、上記第１通信線に第１スイッチ装置を設置する第１ステップと、第１伝送装置と第２伝送装置との間を第２スイッチ装置を介して第２通信線で接続する第２ステップと、第１スイッチ装置と第２スイッチ装置とを第３通信線で接続する第３ステップと、下位伝送装置が第２伝送装置に上記第３通信線を介して接続され、下位伝送装置と第１伝送装置との間及び第１伝送装置と第２伝送装置との間がそれぞれ接続されないように第１スイッチ装置及び第２スイッチ装置のスイッチ機構を切り替える切替ステップと、を含む。【選択図】図２
2009272736.tif 000002
【特許請求の範囲】
【請求項１】
冗長化された第１通信線により下位伝送装置に接続される運用中の第１伝送装置を第２伝送装置に置き換える伝送装置の置き換え方法において、
前記第１通信線に第１スイッチ装置を設置する第１ステップと、
前記第１伝送装置と前記第２伝送装置との間を第２スイッチ装置を介して第２通信線で接続する第２ステップと、
前記第１スイッチ装置と前記第２スイッチ装置とを第３通信線で接続する第３ステップと、
前記下位伝送装置が前記第２伝送装置に前記第３通信線を介して接続され、前記下位伝送装置と前記第１伝送装置との間及び前記第１伝送装置と前記第２伝送装置との間がそれぞれ接続されないように前記第１スイッチ装置及び前記第２スイッチ装置のスイッチ機構を切り替える切替ステップと、
を含む伝送装置の置き換え方法。
【請求項２】
前記第１伝送装置が、前記下位伝送装置から送られ前記第１通信線を介して受信された信号を前記第２通信線を用いて前記第２伝送装置へ転送する転送ステップと、
前記第２伝送装置が、前記転送ステップで転送された信号を処理するためのデータを保持していない場合に、そのデータを要求する要求信号を前記第２通信線を用いて前記第２伝送装置へ送信する送信ステップと、
前記第１伝送装置が、前記第１伝送装置で保持されるデータのうち前記要求信号で要求されるデータを前記第２通信線を用いて前記第２伝送装置へ移行する移行ステップと、
を更に含み、
前記切替ステップは、前記移行ステップにおいて前記第１伝送装置から前記第２伝送装置へ移行されるデータがなくなった後、前記スイッチ機構の切り替えを実行する、
請求項１に記載の伝送装置の置き換え方法。
【請求項３】
冗長化された第１通信線により下位伝送装置に接続される運用中の第１伝送装置を第２伝送装置に置き換える伝送装置の置き換え方法において、
前記第１通信線にスイッチ装置を設置する第１ステップと、
前記スイッチ装置と前記第２伝送装置とを第２通信線及び第３通信線で接続する第２ステップと、
前記下位伝送装置と前記第２伝送装置との間が前記第１通信線及び前記第２通信線で接続され、前記第２伝送装置と前記第１伝送装置との間が前記第３通信線及び前記第１通信線で接続され、前記第１伝送装置と前記下位伝送装置との間が接続されないように、前記スイッチ装置のスイッチ機構を切り替える切替ステップと、
を含む伝送装置の置き換え方法。
【請求項４】
前記第２伝送装置が、前記下位伝送装置から送信された信号を前記第２通信線から受信する受信ステップと、
前記第２伝送装置が、前記受信ステップで受信された信号を処理するためのデータを保持していない場合に、そのデータを要求する要求信号を前記第１伝送装置へ前記第３通信線から送信する送信ステップと、
前記第１伝送装置が、保持されるデータのうち前記第１通信線から受信された要求信号で要求されるデータを前記第１通信線を用いて前記第２伝送装置へ移行する移行ステップと、
を更に含み、
前記切替ステップは、前記移行ステップにおいて前記第１伝送装置から前記第２伝送装置へ移行されるデータがなくなった後、前記第２伝送装置と前記第１伝送装置との間が接続されないように、前記スイッチ装置のスイッチ機構を切り替える、
請求項３に記載の伝送装置の置き換え方法。
【発明の詳細な説明】
【技術分野】
【０００１】
本発明は、伝送システムの移行技術に関し、特に、冗長化された通信線により下位伝送装置に接続される運用中の伝送装置を新たな伝送装置に置き換える技術に関する。
【背景技術】
【０００２】
ＩＭＴ（International Mobile Telecommunication）−２０００は、ＩＴＵ（国際電気通信連合）で規格化された第３世代移動通信システムである。図２３は、既存ＩＭＴネットワーク構成を示す図である。既存ＩＭＴネットワークは、機能的に、コアネットワーク（以降、ＣＮと表記する）９００、無線アクセスネットワーク（以降、ＲＡＮと表記する）９１０、ＰＳＴＮ（Public Switched Telephone Networks）９２０等の他ネットワーク等から構成される。
【０００３】
ＲＡＮ９１０は、ユーザ端末（以降、ＵＥと表記する）９２５とＣＮ９００とを結ぶネットワークである。ＲＡＮ９１０は、無線制御装置（以降、ＲＮＣ（Radio Network Controller）と表記する）９１１、基地局装置（以降、ＢＴＳ（Base Transceiver Station）と表記する。論理的にはノードＢとも呼ばれる）９１２等から構成される。
【０００４】
ＣＮ９００は、ＲＡＮ９１０と他ネットワークとを結ぶネットワークである。ＣＮ９００は、ローカル回線交換機（以降、Ｌ−ＭＳＣ（Local-Mobile Switching Center）と表
記する）９０１、ゲートウェイ回線交換機（以降、Ｇ−ＭＳＣ（Gateway-Mobile Switching Center）と表気宇する）９０２、加入者データベース（以降、ＨＬＲ（Home Location
Register）と表記する）９０３、パケット交換機（ＳＧＳＮ（Serving GPRS Support Node）、ＧＧＳＮ（Gateway GPRS Switching Node））（図示せず）等から構成される。
【０００５】
このような既存ＩＭＴネットワークでは、上記各ノード間はＡＴＭ（Asynchronous Transfer Mode）回線で接続される。
【０００６】
現在は、コスト面、運用面等からこのような既存ＩＭＴネットワークからＩＰ（Internet Protocol）ベースのネットワークへの移行が進められている。このようなシステム移
行時には、運用中のサービスへの影響を考慮する必要がある。関連する先行技術文献として以下のような文献が存在する。
【特許文献１】特開２０００−１２４９９４号公報
【特許文献２】特開２００６−２７９１７６号公報
【発明の開示】
【発明が解決しようとする課題】
【０００７】
しかしながら、上述のような既存ＩＭＴネットワークで提供される通話サービス等のサービスは、停止させると社会全体に与える影響が大きい。よって、既存ＩＭＴネットワークをＩＰベースＩＭＴネットワークへ移行する際には、運用中のサービスを無中断で完了させることが望まれている。
【０００８】
本件の課題は、このような問題点に鑑み、サービス無中断で伝送システムの移行を実現する伝送システムの移行技術を提供することにある。
【課題を解決するための手段】
【０００９】
本件各態様では、上述した課題を解決するために、それぞれ以下の構成を採用する。
【００１０】
第１の態様は、冗長化された第１通信線により下位伝送装置に接続される運用中の第１伝送装置を第２伝送装置に置き換える伝送装置の置き換え方法に関し、当該置き換え方法が、上記第１通信線に第１スイッチ装置を設置する第１ステップと、第１伝送装置と第２伝送装置との間を第２スイッチ装置を介して第２通信線で接続する第２ステップと、第１スイッチ装置と第２スイッチ装置とを第３通信線で接続する第３ステップと、下位伝送装置が第２伝送装置に上記第３通信線を介して接続され、下位伝送装置と第１伝送装置との間及び第１伝送装置と第２伝送装置との間がそれぞれ接続されないように第１スイッチ装置及び第２スイッチ装置のスイッチ機構を切り替える切替ステップと、を含む。
【００１１】
この第１態様では、運用中の第１伝送装置と下位伝送装置との間が第１スイッチ装置を介して第１通信線で接続される。この第１通信線は冗長化されているためサービス無中断により第１スイッチ装置を設置することができる。
【００１２】
更に、第１態様では、新たな第２伝送装置が第２スイッチ装置を介して第２通信線で上記第１伝送装置と接続され、かつ、この第２スイッチ装置と上記第１スイッチ装置とが第３通信線で接続される。このとき、下位伝送装置は運用中の第１伝送装置との間で通信を実行していればよく、この第２通信線、第３通信線、及び第２スイッチ装置の設置は運用中のサービスに何ら影響を与えるものではない。
【００１３】
第１態様では、これらステップの後、上記切替ステップが実行されることにより、下位伝送装置と新たな第２伝送装置とが第３通信線を介して直接接続され、第１伝送装置に信号が到達しないように第１スイッチ装置及び第２スイッチ装置のスイッチ機構が切り替えられる。
【００１４】
このように第１スイッチ装置及び第２スイッチ装置を用いることにより、第１態様によれば、サービス無中断で第１伝送装置を第２伝送装置に置き換えることができる。言い換えれば、この第１伝送装置及び下位伝送装置等を有する伝送システムから新たな第２伝送装置に置き換えられた新たな伝送システムへの移行をサービス無中断で行うことができる。
【００１５】
また、第１態様によれば、スイッチ装置を用いて置き換えを行っているため、例えば新たな第２伝送装置に不具合があった場合であっても経路を元のように切り替えれば、直ぐに元の伝送システムへ復旧することができる。
【００１６】
第１態様において好ましくは、第１伝送装置が、下位伝送装置から送られ第１通信線を介して受信された信号を第２通信線を用いて第２伝送装置へ転送する転送ステップと、第２伝送装置が、上記転送ステップで転送された信号を処理するためのデータを保持していない場合に、そのデータを要求する要求信号を第２通信線を用いて第２伝送装置へ送信する送信ステップと、第１伝送装置が、第１伝送装置で保持されるデータのうち要求信号で要求されるデータを第２通信線を用いて第２伝送装置へ移行する移行ステップと、を更に含み、上記切替ステップが、上記移行ステップにおいて第１伝送装置から第２伝送装置へ移行されるデータがなくなった後、スイッチ機構の切り替えを実行する、ようにしてもよい。
【００１７】
このようにすれば、処理するにあたり当該データを必要とする信号が第１伝送装置で受信された場合にその信号が第２伝送装置へ転送されることを契機に、第１伝送装置から第２伝送装置へそのデータが引き継がれる。このデータ引継ぎ処理にあたり第２伝送装置から第１伝送装置へ送信される要求信号は、置き換え対象の第１伝送装置以外の他の伝送装置へそのデータを要求する場合に送信される信号と同じタイプのものが利用されればよい。
【００１８】
これにより、置き換えにあたり運用中の第１伝送装置から新たな第２伝送装置へ所定のデータを引き継ぐ必要がある場合であっても、当該信号を第２伝送装置へ転送することのみで完了することができる。これにより、第１態様によれば、簡易な構成によりシステム移行を実現することができる。
【００１９】
第２の態様は、冗長化された第１通信線により下位伝送装置に接続される運用中の第１伝送装置を第２伝送装置に置き換える伝送装置の置き換え方法に関し、第１通信線にスイッチ装置を設置する第１ステップと、スイッチ装置と第２伝送装置とを第２通信線及び第３通信線で接続する第２ステップと、下位伝送装置と第２伝送装置との間が第１通信線及び第２通信線で接続され、第２伝送装置と第１伝送装置との間が第３通信線及び第１通信線で接続され、第１伝送装置と下位伝送装置との間が接続されないように、スイッチ装置のスイッチ機構を切り替える切替ステップと、を含むというものである。
【００２０】
この第２態様においても、スイッチ装置の第１通信線への設置については第１態様と同様、サービス無中断で行うことができる。
【００２１】
第２態様では、スイッチ装置と新たな第２伝送装置との間が第２通信線及び第３通信線により接続される。このとき、下位伝送装置は運用中の第１伝送装置との間で通信を実行していればよく、この第２通信線及び第３通信線の設置は運用中のサービスに何ら影響を与えるものではない。
【００２２】
第２態様では、これらステップの後、上記切替ステップが実行されることにより、下位伝送装置と新たな第２伝送装置との間が直接接続される。
【００２３】
従って、第２態様によれば、この伝送装置の置き換えにあたり特別な機能が必要となった場合でも新たな第２伝送装置にその機能を加えればよく、元の第１伝送装置の機能を修正する必要がない。これは、下位伝送装置から送信された信号が第２伝送装置でまず受信されるからである。もし、例えばその信号を第１伝送装置に転送する必要がある場合にはその機能を新たな第２伝送装置に加え、当該第２伝送装置が第３通信線にその信号を送出するようにすればよい。この点において、第２態様は、より確実にサービス無中断のシステム移行を実現することができる。
【００２４】
第２態様において、好ましくは、第２伝送装置が、下位伝送装置から送信された信号を第２通信線から受信する受信ステップと、第２伝送装置が、上記受信ステップで受信された信号を処理するためのデータを保持していない場合に、そのデータを要求する要求信号を第１伝送装置へ第３通信線から送信する送信ステップと、第１伝送装置が、保持されるデータのうち第１通信線から受信された要求信号で要求されるデータを第１通信線を用いて第２伝送装置へ移行する移行ステップと、を更に含み、上記切替ステップが、上記移行ステップにおいて第１伝送装置から第２伝送装置へ移行されるデータがなくなった後、第２伝送装置と第１伝送装置との間が接続されないように、スイッチ装置のスイッチ機構を切り替えるようにしてもよい。
【００２５】
このようにすれば、当該所定のデータを必要とする信号が新たな第２伝送装置で受信されたことを契機に、第１伝送装置から第２伝送装置へその所定のデータが引き継がれる。このデータ引継ぎ処理にあたり第２伝送装置から第１伝送装置へ送信される要求信号は、置き換え対象の第１伝送装置以外の他の伝送装置へそのデータを要求する場合に送信される信号と同じタイプのものが利用されればよい。
【００２６】
これにより、置き換えにあたり運用中の第１伝送装置から新たな第２伝送装置へ所定の
データを引き継ぐ必要がある場合であっても、特に特別な処理を要することなく完了することができる。第２態様によればそれを実現するための特別な処理を必要としないため、簡単にシステム移行を実現することができる。
【００２７】
なお、別態様としては、以上の何れかのステップを実行する第１伝送装置、第２伝送装置及びスイッチ装置を備える伝送システムであってもよいし、それら個々の装置であってもよい。また、別態様として、以上の何れかのステップをコンピュータに実行させるプログラムであってもよいし、このようなプログラムを記録したコンピュータが読み取り可能な記憶媒体であってもよい。
【発明の効果】
【００２８】
上記態様によれば、サービス無中断で伝送システムの移行を実現する伝送システムの移行技術を提供することができる。
【発明を実施するための最良の形態】
【００２９】
以下、図面を参照して、各実施形態としてのシステム移行方法についてそれぞれ説明する。なお、以下に述べる各実施形態はそれぞれ例示であり、本発明は以下の各実施形態に限定されない。
【００３０】
［実施形態の概要］
まず、各実施形態に共通な事項として、実施形態の概要を説明する。
【００３１】
図１は、ＩＰベースＩＭＴネットワークの構成を示す図である。本実施形態では、図２３に示す既存ＩＭＴネットワークをこの図１に示すＩＰベースＩＭＴネットワークへ移行する。以降、既存ＩＭＴネットワークを単に旧ネットワークと表記し、ＩＰベースＩＭＴネットワークを単に新ネットワークとも表記する。
【００３２】
新ネットワークでは、ＣＮ９００内のＬ−ＭＳＣ９１及びＧ−ＭＳＣ９２が新たなＩＰ−ＬＭＳＣ１１及びＩＰ−ＧＭＳＣ１２に置き換えられる。ＩＰ−ＬＭＳＣ１１及びＩＰ−ＧＭＳＣ１２の間、ＩＰ−ＬＭＳＣ１１（＃１）及び（＃２）の間はＩＰにより接続される。本実施形態では、ＩＰ−ＬＭＳＣ１１とＲＮＣ９１１との間、ＩＰ−ＬＭＳＣ１１及びＩＰ−ＧＭＳＣ１２とＨＬＲ９０３との間の通信形態については言及しないものとする。例えば、旧ネットワークの通信方式がそのまま継続されればよい。また、図１において、本実施形態で言及しないノードについては図２３と同一符号を用いている。
【００３３】
図２は、本実施形態におけるシステム移行を示す概念図である。図２に示すように、本実施形態では、システム移行にあたり図１に示される新ネットワークのＩＰ−ＬＭＳＣ１１（＃１）及びＩＰ−ＧＭＳＣ１２を用意する。ＩＰ−ＬＭＳＣ１１（＃１）及びＩＰ−ＧＭＳＣ１２は相互にＩＰで接続される。以降、このＩＰ−ＬＭＳＣ１１（＃１）及びＩＰ−ＧＭＳＣ１２の組み合わせを新ネットワークノード１０と表記することもある。
【００３４】
図２に示すように、本実施形態では、図２３に示す旧ネットワークのＬ−ＭＳＣ９１（＃１）及びＧ−ＭＳＣ９２（＃１）をこの新ネットワークノード１０へ移行する。以降、相互にＡＴＭで接続された旧ネットワークのＬ−ＭＳＣ９１（＃１）及びＧ−ＭＳＣ９２（＃１）を旧ネットワークノード９０と表記することもある。
【００３５】
旧ネットワークノード９０とＲＮＣ９１１との間は、一般的に２重化されたＡＴＭ回線で接続されている。よって、システム移行時には、この２重化されたＡＴＭ回線を新ネットワークノード１０側に切り替える必要がある。
【００３６】
このとき、手動での切り替え作業では、作業中に呼処理中断が生じ、運用中サービスに支障をきたす。また、旧ネットワークノード９０及び新ネットワークノード１０を並行してＲＮＣ９１１（＃１）へ接続する手法も考えられるが、この手法ではＲＮＣ９１１（＃１）がＢＴＳ９１２（＃１）からのユーザ呼をどちらのネットワークノードへ転送すればよいのか切り分けすることができない。
【００３７】
ところで、Ｌ−ＭＳＣ９１では、ＲＮＣ９１１から転送されるユーザ呼の交換制御を行う上で、加入者（ユーザ）毎のプロファイル情報（以降、ユーザプロファイル又はプロファイル情報と表記する）が利用される。
【００３８】
図３は、ユーザプロファイル情報の例を示す。図３に示すように、Ｌ−ＭＳＣ９１では、ユーザプロファイル情報として、ユーザ識別子（ＩＭＵＩ）、加入者番号、加入者課金情報、加入者契約情報、サービス管理データ、ＶＬＲ（Visitor Location Register）管
理情報等がユーザ毎に管理される。このうち、ＶＬＲ管理情報は、プロファイル管理ノード（例えば、ＨＬＲ９０３）で管理される認証子等の情報であり、所定のタイミングで動的に変更される。
【００３９】
図４は、ユーザプロファイル情報の引き継ぎイメージを示す図である。図４に示すように、システム移行時には、Ｌ−ＭＳＣ９１でキャッシュされるユーザプロファイル３０を最新の状態で新ネットワークノード１０のＩＰ−ＬＭＳＣ１１に引き継ぐ必要がある。これにより、システム移行後においても新ネットワークノード１０で継続的にユーザ呼の交換制御を行うことができる。
【００４０】
このユーザプロファイル３０の引き継ぎ作業については、Ｌ−ＭＳＣ９０から一括でバックアップし、ＩＰ−ＬＭＳＣ１１へ一括リストアする手法が考えられる。しかしながら、この手法では、バックアップ及びリストアする間に当該ユーザプロファイル３０が最新情報でなくなってしまう可能性がある。この場合には、運用中のサービスに支障をきたす。
【００４１】
以下に述べる第１実施形態では、Ｌ−ＭＳＣ９１とＲＮＣ９１１（＃１）との間及びＩＰ−ＬＭＳＣ１１とＬ−ＭＳＣ９１との間にそれぞれＡＴＭスイッチを設置する。第２実施形態では、Ｌ−ＭＳＣ９１とＲＮＣ９１１（＃１）との間にＩＰ−ＬＭＳＣ１１及びＡＴＭスイッチを設置する。各実施形態ではこのような構成を取ることにより、サービス無中断のシステム移行を実現する。
【００４２】
なお、本実施形態は、新ネットワークノード１０及び旧ネットワークノード９０のうちＧ−ＭＳＣ９２及びＩＰ−ＧＭＳＣ１２の機能を限定しない。更に、本実施形態は、Ｇ−ＭＳＣ９２とＬ−ＭＳＣ９１との間の通信手法及びＩＰ−ＬＭＳＣ１１とＩＰ−ＧＭＳＣ１２との間の通信手法を限定しない。よって、以下では、Ｌ−ＭＳＣ９１及びＩＰ−ＬＭＳＣ１１の機能についてのみ説明し、更に上述の各通信手法については言及しないものとする。
【００４３】
［第１実施形態］
以下、第１実施形態におけるシステム移行方法について説明する。
【００４４】
第１実施形態におけるシステム移行方法は、以下のような構成を持つ旧ネットワークノード９０のＬ−ＭＳＣ９１及び新ネットワークノード１０のＩＰ−ＬＭＳＣ１１を用いる。
【００４５】
〔装置構成〕
図５は、第１実施形態で用いられるＬ−ＭＳＣ９１の装置構成を示すブロック図である。図６は、第１実施形態で用いられるＩＰ−ＬＭＳＣ１１の装置構成を示すブロック図である。図５及び６には、本実施形態で特定される機能ブロックのみが示される。第１実施形態で用いられるＬ−ＭＳＣ９１及びＩＰ−ＬＭＳＣ１１は、図示されないその他の機能として、ＣＮ９００を構成するＬ−ＭＳＣが一般的に有する機能を備えていればよい。また、各機能ブロックは、ソフトウェアの構成要素又はハードウェアの構成要素、若しくはこれらの組み合わせとしてそれぞれ実現される（［その他］の項参照）。
【００４６】
〈Ｌ−ＭＳＣ〉
第１実施形態で用いられるＬ−ＭＳＣ９１は、プロトコル部５１、中継機能部５２、呼処理部５３、プロファイル管理部５４、スイッチ機能部５５、プロファイルデータベース５８等を有する。
【００４７】
第１実施形態で用いられるＬ−ＭＳＣ９１は、ＲＮＣ９１１と接続するための２重化されたＡＴＭ回線８１とＩＰ−ＬＭＳＣ１１（新ネットワークノード１０）と接続するための２重化されたＡＴＭ回線８２とを収容する。ＡＴＭ回線８１は、ＡＴＭスイッチを介してＲＮＣ９１１と接続される。ＡＴＭ回線８２は、ＡＴＭスイッチを介してＩＰ−ＬＭＳＣ１１と接続される。
【００４８】
プロトコル部５１は、これらＡＴＭ回線８１及び８２を用いて制御プレーン（Ｃプレーン）信号を送受する。具体的には、プロトコル部５１は、ＲＮＣ９１１から送られる信号及びＩＰ−ＬＭＳＣ１１から送られる信号を受信し、受信された信号を中継機能部５２へ送る。
【００４９】
プロトコル部５１は、所定の信号を送信する場合にはその信号の宛先に応じてＡＴＭ回線８１及び８２のいずれか一方を選択する。具体的には、プロトコル部５１は、送信データと共に中継機能部５２からＲＮＣ９１１宛てに送信するよう指示を受けた場合には、その送信データをＲＮＣ９１１と繋がるＡＴＭ回線８１から送信する。プロトコル部５１は、送信データと共に中継機能部５２からＩＰ−ＬＭＳＣ１１宛てに送信するよう指示を受けた場合には、その送信データをＡＴＭ回線８２から送信する。
【００５０】
呼処理部５３は、プロトコル部５１により受信されたＣプレーン信号を中継機能部５２を介して受けると、この信号に基づいてユーザ端末の位置登録やユーザ呼の交換処理等を実行する。呼処理部５３は、一般的なＬ−ＭＳＣの呼処理機能を有していればよく、ここでは詳細説明を省略する。
【００５１】
プロファイル管理部５４は、図３に示すようなユーザプロファイルを管理する。プロファイル管理部５４は、他のＬ−ＭＳＣ９１から転送されるユーザプロファイル情報をプロファイルデータベース５８に登録（キャッシュ）する。プロファイル管理部５４は、要求されたユーザに関する該当情報をプロファイルデータベース５８から抽出し、抽出されたユーザプロファイルを出力する。なお、本実施形態は、このユーザプロファイルの内容を限定するものではない。
【００５２】
中継機能部５２は、ＲＮＣ９１１から送信されプロトコル部５１で受信された信号を自装置で処理するために呼処理部５３へ送るか、又は、同信号をＩＰ−ＬＭＳＣ１１へ転送する。中継機能部５２は、スイッチ機能部５５からの指示及びその受信された信号の内容に応じて、上記各処理を行う。一方で、中継機能部５２は、ＩＰ−ＬＭＳＣ１１から送られプロトコル部５１で受信された信号についてはその信号がプロファイル情報要求を示す場合にはその信号を呼処理部５３に送り、それ以外の信号の場合にはその信号をプロトコル部５１を経由してＲＮＣ９１１へ転送する。
【００５３】
中継機能部５２は、ＩＰ−ＬＭＳＣ１１から受信されたプロファイル情報要求に応答する際には、当該信号の送信元のＵＥ９２５のユーザプロファイルを抽出するようにプロファイル管理部５４に指示する。中継機能部５２は、ユーザプロファイルを正常に受信できたことを示す信号をＩＰ−ＬＭＳＣ１１から受けると、そのユーザプロファイルをプロファイルデータベース５８から削除するようにプロファイル管理部５４に指示する。
【００５４】
スイッチ機能部５５は、中継機能部５２での処理を特定するための指示を送出する。ＩＰ−ＬＭＳＣ１１への転送を開始する場合には、スイッチ機能部５５は、転送開始の指示を中継機能部５２へ送る。自装置での呼処理を継続又は再開する場合には、スイッチ機能部５５は、自装置処理の指示を中継機能部５２へ送る。ＩＰ−ＬＭＳＣ１１への転送を開始する場合には、スイッチ機能部５５はユーザインタフェース等により外部からその指示を受けるようにしてもよいし、転送開始の時刻設定に応じて転送開始を判断するようにしてもよい。
【００５５】
〈ＩＰ−ＬＭＳＣ〉
第１実施形態で用いられるＩＰ−ＬＭＳＣ１１は、プロトコル部２１、呼処理部２３、プロファイル管理部２４、プロファイルデータベース２８等を有する。第１実施形態で用いられるＩＰ−ＬＭＳＣ１１の呼処理部２３、プロファイル管理部２４及びプロファイルデータベース２８は、上述のＬ−ＭＳＣ９１と同様であるため、ここでは説明を省略する。
【００５６】
第１実施形態で用いられるＩＰ−ＬＭＳＣ１１は、ＲＮＣ９１１及びＬ−ＭＳＣ１１（旧ネットワークノード９０）のいずれか一方と接続するための２重化されたＡＴＭ回線６１を収容する。ＡＴＭ回線６１は、ＡＴＭスイッチを介してＲＮＣ９１１及びＬ−ＭＳＣ１１のいずれか一方に接続される。
【００５７】
プロトコル部２１は、ＡＴＭ回線６１を用いてＣプレーン信号を送受する。プロトコル部５１は、ＲＮＣ９１１宛ての信号を送信する場合及びＬ−ＭＳＣ９１宛ての信号を送信する場合にこのＡＴＭ回線６１を選択する。
【００５８】
〔動作例〕
以下、第１実施形態におけるシステム移行方法を用いた場合の各ノードの動作例について図７から１２を用いて説明する。
【００５９】
図７は、第１実施形態におけるシステム移行方法の第１ステップを示す図である。第１ステップでは、まず、新ネットワークノード１０が設置される。続いて、旧ネットワークノード９０のＬ−ＭＳＣ９１（＃１）とＲＮＣ９１１（＃１）との間にＡＴＭスイッチ４１が設置される。
【００６０】
ＡＴＭスイッチ４１は、１つのＲＮＣ側端子と２つのＭＳＣ側端子とを備え、所定の指示に応じて当該ＲＮＣ側端子をいずれか一方のＭＳＣ側端子と接続させるスイッチ機構を更に備える。ＲＮＣ側端子にはＲＮＣ９１１（＃１）と繋がるＡＴＭ回線が接続され、一方のＭＳＣ側端子（以降、第１ＭＳＣ側端子と表記する）にＬ−ＭＳＣ９１（＃１）と繋がるＡＴＭ回線８１が接続される。この第１ＭＳＣ側端子以外のＭＳＣ側端子を第２ＭＳＣ側端子と表記する。
【００６１】
Ｌ−ＭＳＣ９１（＃１）とＲＮＣ９１１（＃１）との間はＡＴＭ回線で２重化されている。よって、アクティブ回線とスタンバイ回線とが順次切り替えられながら、運用中のサービスを停止させないように両回線にＡＴＭスイッチ４１（＃１）及び（＃２）が設置さ
れる。
【００６２】
具体的には、スタンバイ側のＡＴＭ回線にＡＴＭスイッチ４１（＃２）が設置され、ＲＮＣ側端子が第１ＭＳＣ側端子と接続されるようにＡＴＭスイッチ４１（＃２）のスイッチ機構が切り替えられる。このスタンバイ側のＡＴＭ回線の導通が確認されると、次に、アクティブ回線とスタンバイ回線とが切り替えられる。これにより、ＡＴＭスイッチ４１（＃２）が設置された回線側がスタンバイからアクティブへ移行する。その後、アクティブからスタンバイに切り替ったＡＴＭ回線にＡＴＭスイッチ４１（＃１）が設置され、ＲＮＣ側端子が第１ＭＳＣ側端子と接続されるようにＡＴＭスイッチ４１（＃１）のスイッチ機構が切り替えられる。
【００６３】
このように２重化されたＡＴＭ回線に順次ＡＴＭスイッチ４１（＃１）及び（＃２）を設置することで、運用中のサービスを停止させることなく作業を完了させることができる。言い換えれば、このＡＴＭスイッチ４１の設置作業中でも、ＵＥ９２５の再認証処理や呼交換処理は旧ネットワークノード９０により継続的に実行される。
【００６４】
図８は、第１実施形態におけるシステム移行方法の第２ステップを示す図である。第２ステップでは、旧ネットワーク９０のＬ−ＭＳＣ９１（＃１）と新ネットワーク１０のＩＰ−ＬＭＳＣ１１（＃１）との間を２重化されたＡＴＭ回線で接続する。各ＡＴＭ回線にはそれぞれＡＴＭスイッチ４２が設置される。
【００６５】
ＡＴＭスイッチ４２は、２つの旧側端子と１つの新側端子とを備え、所定の指示に応じて当該新側端子をいずれか一方の旧側端子と接続させるスイッチ機構を更に備える。この新側端子にはＩＰ−ＬＭＳＣ１１（＃１）と繋がるＡＴＭ回線６１が接続され、一方の旧側端子（以降、第１旧側端子と表記する）にはＬ−ＭＳＣ９１（＃１）と繋がるＡＴＭ回線８２が接続される。
【００６６】
更に、ＡＴＭスイッチ４１（＃１）の第２ＭＳＣ側端子がＡＴＭスイッチ４２（＃１）の第１旧側端子以外の旧側端子（以降、第２旧側端子と表記する）とＡＴＭ回線により接続される。ＡＴＭスイッチ４１（＃２）の第２ＭＳＣ側端子についても同様にＡＴＭスイッチ４２（＃２）の第２旧側端子とＡＴＭ回線により接続される。
【００６７】
図９は、第１実施形態におけるシステム移行方法の第３ステップを示す図である。第２ステップが完了すると、Ｌ−ＭＳＣ９１（＃１）では、スイッチ機能部５５がＩＰ−ＬＭＳＣ１１への転送を開始する旨の指示を中継機能部５２へ送る。これにより、Ｌ−ＭＳＣ９１（＃１）は、今まで実施していた呼処理を段階的にＩＰ−ＬＭＳＣ１１へ移行する。具体的には、Ｌ−ＭＳＣ９１（＃１）は、各ユーザから送られる信号に対しそのユーザのプロファイル３０を保持する場合であっても、その信号をＩＰ−ＬＭＳＣ１１（＃１）へ転送することにより、新ネットワークノード１０に呼処理を実行させる。このとき、Ｌ−ＭＳＣ９１（＃１）で保持されるそのユーザのプロファイル３０は、ユーザ毎に順次ＩＰ−ＬＭＳＣ１１（＃１）へ引き継がれる。ＩＰ−ＬＭＳＣ１１とＬ−ＭＳＣ９１との間で行われるユーザプロファイルの引き継ぎ処理については後述する。
【００６８】
図１０は、第１実施形態におけるシステム移行方法の第４ステップを示す図である。第３ステップによりＬ−ＭＳＣ９１（＃１）で保持されている全ユーザのプロファイル３０がＩＰ−ＬＭＳＣ１１又はその他のＬ−ＭＳＣへ引き継がれると、Ｌ−ＭＳＣ９１（＃１）は、ＲＮＣ９１１（＃１）から送られる信号をＩＰ−ＬＭＳＣ１１（＃１）へ転送する処理のみを行うようになる（第４ステップ）。すなわち、実質的にＲＮＣ９１１（＃１）から送られる呼に関する処理は、新ネットワークノード１０で実行されるようになる。
【００６９】
図１１は、第１実施形態におけるシステム移行方法の第５ステップを示す図である。第４ステップの状態となった後、ＲＮＣ９１１（＃１）から送られる信号が旧ネットワークノード９０を経由しないようにＡＴＭスイッチ４１及び４２のスイッチ機構が切り替えられる。具体的には、ＡＴＭスイッチ４１のＲＮＣ側端子が第２ＭＳＣ側端子に接続され、ＡＴＭスイッチ４２の第２旧側端子が新側端子に接続される。このＡＴＭスイッチ４１及び４２の切り替えについても、アクティブ及びスタンバイを適宜切り替えながら行うことにより、サービス停止を防ぐことができる。
【００７０】
図１２は、第１実施形態におけるシステム移行方法の第６ステップを示す図である。第５ステップが完了すると、ＡＴＭスイッチ４１及び４２を順次撤去する。このときも、ＡＴＭスイッチ４１及び４２の設置時と同様に、アクティブ及びスタンバイを適宜切り替えながら行うことにより、サービス停止を防ぐことができる。
【００７１】
〈ユーザプロファイル引き継ぎ処理〉
図９に示すように、本実施形態におけるシステム移行方法では、ユーザプロファイルが順次Ｌ−ＭＳＣ９１からＩＰ−ＬＭＳＣ１１へ引き継がれる。このユーザプロファイル引き継ぎ処理は、例えば、ＵＥ９２５から送られる位置情報更新（再認証要求）を示すＣプレーン信号（以降、更新信号と表記する）をＬ−ＭＳＣ９１が受信することを契機に開始される。この更新信号は、既存の信号であり、ＵＥ９２５がＬ−ＭＳＣ間を移動した際又は所定の周期でＵＥ９２５から送信される。
【００７２】
図１３は、第１実施形態におけるユーザプロファイル引き継ぎ処理の第１パターンを示すシーケンス図である。第１パターンは、ＵＥ９２５がＬ−ＭＳＣ９１（＃２）の配下からＬ−ＭＳＣ９１（＃１）の配下へ移動した場面（図２参照）の処理である。第１パターンでは、移動元のＬ−ＭＳＣ９１（＃２）にキャッシュされているユーザプロファイルがＩＰ−ＬＭＳＣ１１へ引き継がれる。
【００７３】
ＵＥ９２５が移動する前には、図１３に示すように、ＵＥ９２５のユーザプロファイル３０はＬ−ＭＳＣ９１（＃２）でキャッシュされている。これにより、ＵＥ９２５から発信される呼は、移動元の旧ネットワークノード９０（＃２）上で呼処理される。
【００７４】
ＵＥ９２５が旧ネットワークノード９０（＃１）の配下に移動すると、ＵＥ９２５から送信される更新信号がＬ−ＭＳＣ９１（＃１）で受信される（Ｓ１３１）。Ｌ−ＭＳＣ９１（＃１）は、この更新信号の送信元のＵＥ９２５のユーザプロファイル３０を保持していないと判断すると、その更新信号をＩＰ−ＬＭＳＣ１１へ転送する（Ｓ１３２及びＳ１３３）。
【００７５】
ＩＰ−ＬＭＳＣ１１（＃１）は、この更新信号を受信すると、その更新信号に含まれる移動元のＬ−ＭＳＣ９１（＃２）へプロファイル要求を示すＣプレーン信号（以降、プロファイル要求信号を表記する）を送信する（Ｓ１３４）。
【００７６】
移動元ネットワークノード９０（＃２）のＬ−ＭＳＣ９１（＃２）は、このプロファイル要求信号を受信すると、そのＵＥ９２５のユーザプロファイル３０をＩＰ−ＬＭＳＣ１１（＃１）へ送る（Ｓ１３５）。これにより、このＬ−ＭＳＣ９１（＃２）は、そのＵＥ９２５が新ネットワークノード１０へ移動したことを通知するために、ＨＬＲ９０３に位置情報削除を示すＣプレーン信号を送信する（Ｓ１３６）。
【００７７】
ユーザプロファイル３０を取得したＩＰ−ＬＭＳＣ１１（＃１）は、そのＵＥ９２５が自身の配下に移動したことを通知するために、ＨＬＲ９０３に位置情報更新を示すＣプレーン信号を送信する（Ｓ１３８）。
【００７８】
ＨＬＲ９０３は、移動元のＬ−ＭＳＣ９１（＃２）から位置情報削除を示す信号を受け、移動先のＩＰ−ＬＭＳＣ９１（＃１）から位置情報更新を示す信号を受ける。これにより、ＨＬＲ９０３は、自身で管理するユーザプロファイル情報を更新する（Ｓ１３７、Ｓ１３９）。
【００７９】
図１４は、第１実施形態におけるシステム移行方法のユーザプロファイル引き継ぎ処理の第２パターンを示すシーケンス図である。第２パターンは、ＵＥ９２５が所定の周期で上記更新信号を送信した場面の処理である。第２パターンでは、Ｌ−ＭＳＣ９１（＃１）にキャッシュされているユーザプロファイルがＩＰ−ＬＭＳＣ１１へ引き継がれる。第２パターンでは、当該ＵＥ９２５が旧ネットワークノード９０（＃１）から新ネットワークノード１０へ移動したとみなして、上述の第１パターンと同様の処理が行われる。
【００８０】
このとき、ＵＥ９２５は、旧ネットワークノード９０（＃１）の配下に存在する。従って、図１４に示されるように、ＵＥ９２５のユーザプロファイル３０は、Ｌ−ＭＳＣ９１（＃１）でキャッシュされている。Ｌ−ＭＳＣ９１（＃１）は、このキャッシュされるユーザプロファイル３０を用いてＵＥ９２５から発信される呼を処理する。
【００８１】
ＵＥ９２５は、所定の周期で更新信号を送信する（Ｓ１４１）。この信号は、Ｌ−ＭＳＣ９１（＃１）で受信される。このとき、Ｌ−ＭＳＣ９１（＃１）は、この更新信号の送信元のＵＥ９２５のユーザプロファイル３０を保持している。Ｌ−ＭＳＣ９１（＃１）は、ユーザプロファイル３０をＩＰ−ＬＭＳＣ１１へ引き継ぐために、その更新信号をＩＰ−ＬＭＳＣ１１へ転送する（Ｓ１４２及びＳ１４３）。
【００８２】
これにより、ＩＰ−ＬＭＳＣ１１（＃１）は、この更新信号を受信することができる。この更新信号には、現在ＵＥ９２５を配下に収めるＬ−ＭＳＣ９１（＃１）を示す情報が含まれている。ＩＰ−ＬＭＳＣ１１（＃１）は、その更新信号の送信元のＵＥ９２５に関するユーザプロファイル３０を保持していないため、その更新信号に含まれる情報に基づいてＬ−ＭＳＣ９１（＃１）へプロファイル要求信号を送信する（Ｓ１４４）。このＩＰ−ＬＭＳＣ１１（＃１）の動作は、Ｌ−ＭＳＣ９１（＃１）の配下から自身の配下にＵＥ９２５が移動したとみなした場合の動作と同様である。
【００８３】
Ｌ−ＭＳＣ９１（＃１）は、このプロファイル要求信号を受信すると、そのＵＥ９２５のユーザプロファイル３０をＩＰ−ＬＭＳＣ１１（＃１）へ送る（Ｓ１４５）。この処理は、当該ＵＥ９２５が自身の配下から他のＬ−ＭＳＣ配下へ移動した場合と同様である。これにより、Ｌ−ＭＳＣ９１（＃１）は、当該ＵＥ９２５が自身の配下から新ネットワークノード１０の配下へ移動したとみなし、ＨＬＲ９０３に位置情報削除を示すＣプレーン信号を送信する（Ｓ１４６）。
【００８４】
ユーザプロファイル３０を取得したＩＰ−ＬＭＳＣ１１（＃１）は、そのＵＥ９２５が自身の配下に移動したとみなしそのことを通知するために、ＨＬＲ９０３に位置情報更新を示すＣプレーン信号を送信する（Ｓ１４８）。
【００８５】
ＨＬＲ９０３は、移動元のＬ−ＭＳＣ９１（＃２）から位置情報削除を示すＣプレーン信号を受け、移動先のＩＰ−ＬＭＳＣ９１（＃１）から位置情報更新を示すＣプレーン信号を受ける。これにより、ＨＬＲ９０３は、自身で管理するユーザプロファイル情報を更新する（Ｓ１４７、Ｓ１４９）。
【００８６】
〈第１実施形態の作用及び効果〉
上述の第１実施形態では、ＲＮＣ９１１（＃１）と旧ネットワークノード９０のＬ−Ｍ
ＳＣ９１（＃１）とを接続する２重化されたＡＴＭ回線８１にＡＴＭスイッチ４１が設置される。このとき、アクティブ及びスタンバイの状態が順次切り替えることにより、２重化されたＡＴＭ回線８１のそれぞれにＡＴＭスイッチ４１（＃１）及び（＃２）が設置される。
【００８７】
これにより、ＡＴＭスイッチ４１を設置するにあたってのサービス中断はない。
【００８８】
更に、第１実施形態では、新ネットワークノードのＩＰ−ＬＭＳＣ１１（＃１）がＡＴＭスイッチ４２を介して２重化されたＡＴＭ回線６１及び８２で旧ネットワークノードのＬ−ＭＳＣ９１（＃１）に接続される。この接続状態が確認された後、Ｌ−ＭＳＣ９１（＃１）のスイッチ機能部５５がＩＰ−ＬＭＳＣ１１（＃１）への転送開始を中継機能部５２に対し指示する。
【００８９】
これにより、ＲＮＣ９１１（＃１）から送られる要求信号がＬ−ＭＳＣ９１（＃１）で受信されると、その要求信号の送信元のＵＥ９２５に関するユーザプロファイル３０がＬ−ＭＳＣ９１（＃１）のプロファイルデータベース５８に保持されていたとしても、その要求信号はＬ−ＭＳＣ９１（＃１）からＩＰ−ＬＭＳＣ１１（＃１）へ転送される。
【００９０】
その要求信号には、そのＵＥ９２５のユーザプロファイル３０がＬ−ＭＳＣ９１（＃１）で保持されていることを示す情報が含まれている。ＩＰ−ＬＭＳＣ１１（＃１）は、その要求信号が受信されると、その要求信号の送信元のＵＥ９２５に関するユーザプロファイル３０を保持していないため、そのＵＥ９２５が他のＬ−ＭＳＣから移動してきた場合と同様の処理を行う。これにより、当該ユーザプロファイル３０を要求するためのプロファイル要求信号がＩＰ−ＬＭＳＣ１１（＃１）からＬ−ＭＳＣ９１（＃１）へ送られる。
【００９１】
Ｌ−ＭＳＣ９１（＃１）においてこのプロファイル要求信号が受信されると、通常通り、その信号で要求されるユーザプロファイル３０をその信号の送信元のＩＰ−ＬＭＳＣ１１（＃１）へ送る。
【００９２】
これにより、Ｌ−ＭＳＣ９１（＃１）で保持されているユーザプロファイルのうちそのＵＥ９２５に関するユーザプロファイル３０については、ＩＰ−ＬＭＳＣ１１（＃１）へ引き継がれたことになる。このような処理がＬ−ＭＳＣ９１（＃１）で保持されるユーザプロファイル３０がなくなるまで実行される。以降、Ｌ−ＭＳＣ９１（＃１）は、ＲＮＣ９１１（＃１）とＩＰ−ＬＭＳＣ１１（＃１）との間でやりとりされる信号を中継するのみとなる。
【００９３】
従って、本実施形態によれば、旧ネットワークノード９０から新ネットワークノード１０へ移行するにあたりユーザプロファイル３０をサービス無中断で引き継ぐことができる。
【００９４】
更に、本実施形態によれば、このユーザプロファイルの引き継ぎを実現するのに、Ｌ−ＭＳＣ９１（＃１）に中継機能部５２を設けるのみでよい。すなわち、それを実現するのに、要求信号をＩＰ−ＬＭＳＣ１１（＃１）へ転送する処理のみが行われる。これにより、第１実施形態によれば、簡易な構成によりユーザプロファイルの引き継ぎを実現することができる。
【００９５】
本実施形態では、最終的に、ＲＮＣ９１１（＃１）と新ネットワークノードのＩＰ−ＬＭＳＣ１１（＃１）との間がＬ−ＭＳＣ９１（＃１）を経由せず直接接続されるようにＡＴＭスイッチ４１及び４２のスイッチ機構が切り替えられる。その後、ＡＴＭスイッチ４１及び４２が撤去される。
【００９６】
このようにＡＴＭスイッチ４１及び４２を用いることにより、第１実施形態によれば、サービス無中断で旧ネットワークノード９０を新ネットワークノード１０へ移行することができる。また、本実施形態によれば、ＡＴＭスイッチ４１及び４２を用いて置き換えを行っているため、例えば新ネットワークノード１０に不具合があった場合であっても経路を元のように切り替えれば、直ぐに旧ネットワークノード９０へ復旧することができる。
【００９７】
［第２実施形態］
以下、第２実施形態におけるシステム移行方法について説明する。第２実施形態におけるシステム移行方法は、以下のような構成を持つ旧ネットワークノード９０のＬ−ＭＳＣ９１及び新ネットワークノード１０のＩＰ−ＬＭＳＣ１１を用いる。
【００９８】
〔装置構成〕
図１５は、第２実施形態で用いられるＬ−ＭＳＣ９１の装置構成を示すブロック図である。図１６は、第２実施形態で用いられるＩＰ−ＬＭＳＣ１１の装置構成を示すブロック図である。図１５及び１６に示すように、第２実施形態では、第１実施形態でＬ−ＭＳＣ９１が備えていた機能部をＩＰ−ＬＭＳＣ１１が備え、第１実施形態でＩＰ−ＬＭＳＣ１１が備えていた機能部をＬ−ＭＳＣ９１が備える。
【００９９】
〈Ｌ−ＭＳＣ〉
第２実施形態で用いられるＬ−ＭＳＣ９１は、ＲＮＣ９１１及びＩＰ−ＬＭＳＣ１１（新ネットワークノード１０）のいずれか一方と接続するための２重化されたＡＴＭ回線８５を収容する。ＡＴＭ回線８５は、ＡＴＭスイッチを介してＲＮＣ９１１又はＩＰ−ＬＭＳＣ１１と接続される。
【０１００】
第２実施形態で用いられるＬ−ＭＳＣ９１は、プロトコル部５１、呼処理部５３、プロファイル管理部５４、プロファイルデータベース５８等を有する。
【０１０１】
プロトコル部５１は、ＩＰ−ＬＭＳＣ１１及びＲＮＣ９１１間で送受される信号を制御する。呼処理部５３、プロファイル管理部５４及びプロファイルデータベース５８等については、第１実施形態と同様であるため、ここでは説明を省略する。
【０１０２】
〈ＩＰ−ＬＭＳＣ〉
ＩＰ−ＬＭＳＣ１１は、ＲＮＣ９１１と接続するための２重化されたＡＴＭ回線６５とＬ−ＭＳＣ９１と接続するための２重化されたＡＴＭ回線６６とを収容する。ＡＴＭ回線６５は、ＡＴＭスイッチを介してＲＮＣ９１１に接続される。ＡＴＭ回線６６は、ＡＴＭスイッチを介してＬ−ＭＳＣ９１に接続される。
【０１０３】
第２実施形態で用いられるＩＰ−ＬＭＳＣ１１は、第１実施形態におけるプロトコル部２１、呼処理部２３、プロファイル管理部２４及びプロファイルデータベース２８に加えて、更に、中継機能部２２及びスイッチ機能部２５等を有する。
【０１０４】
プロトコル部２１は、上述のように収容されるＡＴＭ回線６５及び６６を用いて、制御プレーン（Ｃプレーン）信号を送受する。具体的には、プロトコル部２１は、ＲＮＣ９１１から送られる信号及びＬ−ＭＳＣ９１から送られる信号を受信し、受信された信号を中継機能部２２へ送る。プロトコル部２１は、送信データと共に中継機能部２２からＲＮＣ９１１宛てに送信するよう指示を受けた場合には、その送信データをＡＴＭ回線６５から送信する。プロトコル部２１は、送信データと共に中継機能部２２からＬ−ＭＳＣ９１宛てに送信するよう指示を受けた場合には、その送信データをＡＴＭ回線６６から送信する。
【０１０５】
中継機能部２２は、ＲＮＣ９１１から送信されプロトコル部２１で受信された信号が更新信号である場合には、その更新信号の送信元のＵＥ９２５に関するプロファイル情報が保持されているか否かをプロファイル管理部２４に問い合わせる。中継機能部２２は、そのユーザプロファイルが保持されている場合には、その信号を終端する。
【０１０６】
一方、中継機能部２２は、そのユーザプロファイルが保持されていない場合には、その更新信号の送信元のＵＥ９２５に関するプロファイル情報を要求するためのプロファイル情報要求信号を送るようにプロトコル部２１へ指示する。上記更新情報には、そのＵＥ９２５に関するユーザプロファイルを保持しているＬ−ＭＳＣとしてＬ−ＭＳＣ９１（＃１）を示す情報が含まれている。よって、中継機能部２２は、更新信号に含まれる情報に基づいてＬ−ＭＳＣ９１（＃１）へそのプロファイル情報要求信号が送られるようにプロトコル部２１へ指示する。プロトコル部２１は、そのプロファイル情報要求信号をＡＴＭ回線６６から送信する。中継機能部２２は、スイッチ機能部２５からの指示に応じて旧ネットワークノード１０のＬ−ＭＳＣ９１（＃１）への上記送信処理を行うか否かを決定する。
【０１０７】
中継機能部２２は、ＲＮＣ９１１からの他の信号を受信した場合には、その信号を自装置で処理するために呼処理部２３へ送る。中継機能部２２は、Ｌ−ＭＳＣ９１からユーザプロファイルを受信した場合には、そのプロファイル情報を保持するようにプロファイル管理部２４に指示する。
【０１０８】
スイッチ機能部２５は、中継機能部２２での処理を特定するための指示を送出する。Ｌ−ＭＳＣ９１への中継を開始する場合には、スイッチ機能部２５は、中継開始の指示を中継機能部２２へ送る。自装置での呼処理を継続又は再開する場合には、スイッチ機能部５５は、自装置処理の指示を中継機能部２２へ送る。Ｌ−ＭＳＣ９１への中継を開始する場合には、スイッチ機能部２５はユーザインタフェース等により外部からその指示を受けるようにしてもよいし、中継開始の時刻設定に応じて転送開始を判断するようにしてもよい。
【０１０９】
〔動作例〕
以下、第２実施形態におけるシステム移行方法を用いた場合の各ノードの動作例について図１７から２０を用いて説明する。
【０１１０】
図１７は、第２実施形態におけるシステム移行方法の第１ステップ及び第２ステップを示す図である。第１ステップでは、第１実施形態と同様に、新ネットワークノード１０が設置され、旧ネットワークノード９０のＬ−ＭＳＣ９１（＃１）とＲＮＣ９１１（＃１）との間にＡＴＭスイッチ４６が設置される。
【０１１１】
第２実施形態で用いられるＡＴＭスイッチ４６は、１つのＲＮＣ側端子と１つの旧ネットワークノード９０側の端子（以降、旧側端子と表記する）と２つの新ネットワークノード１０側の端子（以降、新側端子と表記する）とを備え、所定の指示に応じて当該ＲＮＣ側端子を旧側端子及び一方の新側端子（以降、第１新側端子と表記する）のいずれか一方に接続する第１スイッチ機構と、所定の指示に応じて当該旧側端子と他方の新側端子（以降、第２新側端子と表記する）との接続状態を切り替える第２スイッチ機構とを更に備える。
【０１１２】
ＡＴＭスイッチ４６において、ＲＮＣ側端子にはＲＮＣ９１１（＃１）と繋がるＡＴＭ回線が接続され、旧側端子にはＬ−ＭＳＣ９１（＃１）と繋がるＡＴＭ回線８５が接続される。ＡＴＭスイッチ４６（＃１）及び（＃２）は、第１実施形態同様に、アクティブと
スタンバイとが順次切り替えられながら運用中のサービスを停止させないように各ＡＴＭ回線にそれぞれ設置される。
【０１１３】
このとき、ＡＴＭスイッチ４６（＃１）及び（＃２）の各第１スイッチ機構は、ＲＮＣ９１１（＃１）とＬ−ＭＳＣ９１（＃１）とが接続されるようにそれぞれ切り替えられ、各第２スイッチ機構は、ＩＰ−ＬＭＳＣ１１（＃１）とＬ−ＭＳＣ９１（＃１）とが接続されないようにそれぞれ切り替えられる。これにより、このＡＴＭスイッチ４６の設置作業中でも、ＵＥ９２５の再認証処理や呼交換処理は旧ネットワークノード９０により継続的に実行される。
【０１１４】
第２ステップでは、ＡＴＭスイッチ４６の第１新側端子及び第２新側端子にＩＰ−ＬＭＳＣ１１（＃１）と繋がるＡＴＭ回線６５及び６６がそれぞれ接続される。具体的には、ＡＴＭスイッチ４６において、第１新側端子にはＩＰ−ＬＭＳＣ１１（＃１）からのＡＴＭ回線のうちＲＮＣ９１１とＩＰ−ＬＭＳＣ１１との間を接続するためのＡＴＭ回線６５が接続され、第２新側端子にはＩＰ−ＬＭＳＣ１１（＃１）からのＡＴＭ回線のうちＩＰ−ＬＭＳＣ１１とＬ−ＭＳＣ９１との間を繋ぐためのＡＴＭ回線６６が接続される。
【０１１５】
このとき、ＡＴＭスイッチ４６の第１スイッチ機構及び第２スイッチ機構は、それぞれ上述のように切り替えられているため、ＲＮＣ９１１（＃１）とＩＰ−ＬＭＳＣ１１（＃１）との間は未接続状態である。
【０１１６】
図１８は、第２実施形態におけるシステム移行方法の第３ステップを示す図である。第３ステップでは、旧ネットワーク９０のＬ−ＭＳＣ９１（＃１）がＩＰ−ＬＭＳＣ１１（＃１）を介してＲＮＣ９１１（＃１）に接続されるようにＡＴＭスイッチ４６が切り替えられる。具体的には、ＡＴＭスイッチ４６（＃１）では、第１スイッチ機構が、ＲＮＣ９１１（＃１）とＩＰ−ＬＭＳＣ１１（＃１）とが接続されるように切り替えられ、第２スイッチ機構が、ＩＰ−ＬＭＳＣ１１（＃１）とＬ−ＭＳＣ９１（＃１）とが接続されるように切り替えられる。ＡＴＭスイッチ４６（＃２）についても同様である。このときのＡＴＭスイッチ４６のスイッチ機構の切り替えについても、アクティブとスタンバイとが順次切り替えられながら実行されることで、運用中のサービスを停止させることはない。
【０１１７】
図１９は、第２実施形態におけるシステム移行方法の第４ステップを示す図である。第３ステップが完了すると、ＵＥ９２５から送られる信号は、ＲＮＣ９１１（＃１）及びＡＴＭスイッチ４６を経由して、直接ＩＰ−ＬＭＳＣ１１（＃１）へ送られる。これにより、ＩＰ−ＬＭＳＣ１１（＃１）は、今まで旧ネットワークノード１０で実施されていた呼処理を段階的に受け継ぐことになる。具体的には、Ｌ−ＭＳＣ９１（＃１）が或るユーザのプロファイル３０を保持する場合であっても、そのユーザからの信号はＩＰ−ＬＭＳＣ１１（＃１）へ直接送られ、ＩＰ−ＬＭＳＣ１１（＃１）により処理される。
【０１１８】
このとき、ＩＰ−ＬＭＳＣ１１（＃１）では、スイッチ機能部２５がＬ−ＭＳＣ９１への中継を開始する旨の指示を中継機能部２２へ送る。これにより、ＩＰ−ＬＭＳＣ１１（＃１）は、そのユーザのプロファイル３０を保持していない場合でかつそのプロファイル３０がＬ−ＭＳＣ９１（＃１）で保持されている場合には、そのプロファイル情報要求信号をＬ−ＭＳＣ１１（＃１）へ送る。このようにして、Ｌ−ＭＳＣ９１（＃１）で保持されるそのユーザのプロファイル３０は、ユーザ毎に順次ＩＰ−ＬＭＳＣ１１（＃１）へ引き継がれる。ＩＰ−ＬＭＳＣ１１とＬ−ＭＳＣ９１との間で行われるユーザプロファイルの引き継ぎ処理については後述する。
【０１１９】
図２０は、第２実施形態におけるシステム移行方法の第５ステップを示す図である。第４ステップによりＬ−ＭＳＣ９１（＃１）で保持されている全ユーザのプロファイル３０
がＩＰ−ＬＭＳＣ１１又は他のＬ−ＭＳＣへ引き継がれると、ＩＰ−ＬＭＳＣ１１（＃１）はプロファイル情報要求信号をＬ−ＭＳＣ９１（＃１）へ出す必要がなくなる（第５ステップ）。すなわち、実質的にＲＮＣ９１１（＃１）から送られる呼に関する処理は、新ネットワークノード１０で実行されるようになる。
【０１２０】
この第５ステップの状態となった後は、第１実施形態と同様に、ＡＴＭスイッチ４６を順次撤去する（図１２参照）。このときも、ＡＴＭスイッチ４６の設置時と同様に、アクティブ及びスタンバイを適宜切り替えながら行うことにより、サービス停止を防ぐことができる。
【０１２１】
〈ユーザプロファイル引き継ぎ処理〉
第２実施形態におけるシステム移行方法では、ユーザプロファイル引き継ぎ処理は、例えば、ＵＥ９２５から送られる更新信号をＩＰ−ＬＭＳＣ１１が受信することを契機に開始される。
【０１２２】
図２１は、第２実施形態におけるユーザプロファイル引き継ぎ処理の第１パターンを示すシーケンス図である。第１パターンは、ＵＥ９２５がＬ−ＭＳＣ９１（＃２）の配下からＬ−ＭＳＣ９１（＃１）の配下へ移動した場面（図２参照）の処理である。第１パターンでは、移動元のネットワークノード９０（＃２）にキャッシュされているユーザプロファイルがＩＰ−ＬＭＳＣ１１へ引き継がれる。
【０１２３】
ＵＥ９２５が移動する前には、図２１に示すように、ＵＥ９２５のユーザプロファイル３０は移動元のＬ−ＭＳＣ９１（＃２）でキャッシュされている。これにより、ＵＥ９２５から発信される呼は、Ｌ−ＭＳＣ９１（＃２）上で呼処理される。
【０１２４】
旧ネットワークノード９０（＃１）の配下に移動すると、ＵＥ９２５は、更新信号を送信する。この更新信号は、図１９に示すように、ＡＴＭスイッチ４６を介してＩＰ−ＬＭＳＣ１１（＃１）で受信される（Ｓ２１１）。ＵＥ９２５が移動元のＬ−ＭＳＣ９１（＃２）の配下に存在すると認識したままであるため、そのＵＥ９２５から送信される更新信号にはそのＬ−ＭＳＣ９１（＃２）を示す情報が含まれる。この更新信号には、更にその送信元のＵＥ９２５を示す情報も含まれる。
【０１２５】
ＩＰ−ＬＭＳＣ１１（＃１）は、この更新信号の送信元のＵＥ９２５に関するユーザプロファイル３０を保持していないと判断すると、この更新信号に含まれる情報に基づいて移動元のＬ−ＭＳＣ９１（＃２）へプロファイル要求を示すＣプレーン信号を送信する（Ｓ２１２）。
【０１２６】
移動元ネットワークノード９０（＃２）のＬ−ＭＳＣ９１（＃２）は、このプロファイル情報要求信号を受信すると、そのＵＥ９２５のユーザプロファイル３０をＩＰ−ＬＭＳＣ１１（＃１）へ送る（Ｓ２１４）。これにより、このＬ−ＭＳＣ９１（＃２）は、そのＵＥ９２５がＩＰ−ＬＭＳＣ１１へ移動したことを通知するために、ＨＬＲ９０３に位置情報削除を示すＣプレーン信号を送信する（Ｓ２１５）。
【０１２７】
ユーザプロファイル３０を取得したＩＰ−ＬＭＳＣ１１（＃１）は、そのＵＥ９２５が自身の配下に移動したことを通知するためにＨＬＲ９０３に位置情報更新を示すＣプレーン信号を送信する（Ｓ２１７）。
【０１２８】
ＨＬＲ９０３は、移動元のＬ−ＭＳＣ９１（＃２）から位置情報削除を示すＣプレーン信号を受け、移動先のＩＰ−ＬＭＳＣ９１（＃１）から位置情報更新を示すＣプレーン信号を受ける。これにより、ＨＬＲ９０３は、自身で管理するユーザプロファイル情報を更
新する（Ｓ２１６、Ｓ２１８）。
【０１２９】
図２２は、第２実施形態におけるシステム移行方法のユーザプロファイル引き継ぎ処理の第２パターンを示すシーケンス図である。第２パターンは、ＵＥ９２５が所定の周期で更新信号を送信した場面の処理である。第２パターンでは、Ｌ−ＭＳＣ９１（＃１）にキャッシュされているユーザプロファイルがＩＰ−ＬＭＳＣ１１へ引き継がれる。第２パターンでは、当該ＵＥ９２５が旧ネットワークノード９０（＃１）から新ネットワークノード１０へ移動したとみなして、上述の第１パターンと同様の処理が行われる。
【０１３０】
ＵＥ９２５は、旧ネットワークノード９０（＃１）の配下に存在する。このとき、図２２に示されるように、ＵＥ９２５のユーザプロファイル３０は、Ｌ−ＭＳＣ９１（＃１）でキャッシュされている。Ｌ−ＭＳＣ９１（＃１）は、このキャッシュされるユーザプロファイル３０を用いてＵＥ９２５から発信される呼を処理する。
【０１３１】
ＵＥ９２５が更新信号を送信すると、この更新信号は、ＡＴＭスイッチ４６を介してＩＰ−ＬＭＳＣ１１（＃１）で受信される（Ｓ２２１）。このとき、ＵＥ９２５はＬ−ＭＳＣ９１（＃１）の配下に存在することになるため、ＩＰ−ＬＭＳＣ１１（＃１）はＵＥ９２５に関するユーザプロファイル３０を有していない。
【０１３２】
これにより、ＩＰ−ＬＭＳＣ１１（＃１）は、その更新信号に含まれる情報に基づいて、Ｌ−ＭＳＣ９１（＃１）へプロファイル要求を示すＣプレーン信号を送信する（Ｓ２２２）。このとき、Ｌ−ＭＳＣ９１（＃１）のプロトコル部２１は、収容するＡＴＭ回線６５及び６６のうちＬ−ＭＳＣ９１（＃１）と繋がるＡＴＭ回線６６を選択して、そのＡＴＭ回線６６からそのプロファイル要求信号を送信する。
【０１３３】
Ｌ−ＭＳＣ９１（＃１）は、このプロファイル要求を受信すると、そのＵＥ９２５のユーザプロファイル３０をＩＰ−ＬＭＳＣ１１（＃１）へ送る（Ｓ２２３）。このとき、Ｌ−ＭＳＣ９１（＃１）のプロトコル部５１は、ＲＮＣ９１１又はＩＰ−ＬＭＳＣ１１と繋がるＡＴＭ回線８５を選択して、そのＡＴＭ回線８５からそのプロファイル３０を送信する。
【０１３４】
この処理は、当該ＵＥ９２５が自身の配下から他のＬ−ＭＳＣ配下へ移動した場合と同様である。これにより、Ｌ−ＭＳＣ９１（＃１）は、当該ＵＥ９２５が自身の配下からＩＰ−ＬＭＳＣ１１の配下へ移動したとみなし、ＨＬＲ９０３に位置情報削除を示すＣプレーン信号を送信する（Ｓ２２５）。
【０１３５】
ユーザプロファイル３０を取得したＩＰ−ＬＭＳＣ１１（＃１）は、そのＵＥ９２５が自身の配下に移動したとみなしそのことを通知するために、ＨＬＲ９０３に位置情報更新を示すＣプレーン信号を送信する（Ｓ２２７）。
【０１３６】
ＨＬＲ９０３は、Ｌ−ＭＳＣ９１（＃２）から位置情報削除を示すＣプレーン信号を受け、ＩＰ−ＬＭＳＣ９１（＃１）から位置情報更新を示すＣプレーン信号を受ける。これにより、ＨＬＲ９０３は、自身で管理するユーザプロファイル情報を更新する（Ｓ２２６、Ｓ２２８）。
【０１３７】
〈第２実施形態の作用及び効果〉
上述の第２実施形態では、ＲＮＣ９１１（＃１）と旧ネットワークノード９０のＬ−ＭＳＣ９１（＃１）とを接続する２重化されたＡＴＭ回線８５にＡＴＭスイッチ４６が設置される。このとき、第１実施形態と同様に、アクティブ及びスタンバイの状態が順次切り替えることにより、ＡＴＭスイッチ４６を設置するにあたってのサービス中断はない。
【０１３８】
更に、第２実施形態では、このＡＴＭスイッチ４６に、ＩＰ−ＬＭＳＣ１１（＃１）とＲＮＣ９１１（＃１）とを繋ぐためのＡＴＭ回線６５、及び、ＩＰ−ＬＭＳＣ１１（＃１）とＬ−ＭＳＣ９１（＃１）とを繋ぐためのＡＴＭ回線６６が接続される。その後、ＡＴＭスイッチ４６の第１スイッチ機構及び第２スイッチ機構が切り替えられることにより、ＲＮＣ９１１（＃１）とＩＰ−ＬＭＳＣ１１（＃１）との間が接続され、ＩＰ−ＬＭＳＣ１１（＃１）とＬ−ＭＳＣ９１（＃１）との間が接続され、Ｌ−ＭＳＣ９１（＃１）とＲＮＣ９１１（＃１）との間が未接続状態とされる。これと共に、ＩＰ−ＬＭＳＣ１１（＃１）のスイッチ機能部２５がＬ−ＭＳＣ９１（＃１）への転送開始を中継機能部２２に対し指示する。
【０１３９】
これにより、ＲＮＣ９１１（＃１）から送られる要求信号は直接ＩＰ−ＬＭＳＣ１１（＃１）で受信される。その要求信号には、そのＵＥ９２５のユーザプロファイル３０がＬ−ＭＳＣ９１（＃１）で保持されていることを示す情報が含まれている。よって、ＩＰ−ＬＭＳＣ１１（＃１）は、その要求信号の送信元のＵＥ９２５に関するユーザプロファイル３０がプロファイルデータベース２８に保持されていないため、そのユーザプロファイル３０を要求するプロファイル要求信号をＬ−ＭＳＣ９１（＃１）へ送信する。
【０１４０】
Ｌ−ＭＳＣ９１（＃１）においてこのプロファイル要求信号が受信されると、通常通り、その信号で要求されるユーザプロファイル３０をその信号の送信元のＩＰ−ＬＭＳＣ１１（＃１）へ送る。
【０１４１】
これにより、Ｌ−ＭＳＣ９１（＃１）で保持されているユーザプロファイルのうちそのＵＥ９２５に関するユーザプロファイル３０については、ＩＰ−ＬＭＳＣ１１（＃１）へ引き継がれたことになる。このような処理がＬ−ＭＳＣ９１（＃１）で保持されるユーザプロファイル３０がなくなるまで実行される。以降、ＩＰ−ＬＭＳＣ１１（＃１）からＬ−ＭＳＣ９１（＃１）へプロファイル要求信号は送られない。
【０１４２】
従って、第２実施形態においても、旧ネットワークノード９０から新ネットワークノード１０へ移行するにあたりユーザプロファイル３０をサービス無中断で引き継ぐことができる。
【０１４３】
更に、本実施形態によれば、このユーザプロファイルの引き継ぎを実現するのに、運用中のＬ−ＭＳＣ９１（＃１）ではなく、新たに設置するＩＰ−ＬＭＳＣ１１（＃１）に中継機能部２２を設ければよい。よって、第２実施形態によれば、運用中の装置を修正することがないため、サービス中断をなくすことができる。
【０１４４】
第２実施形態においても、最終的に、ＡＴＭスイッチ４６が撤去される。
【０１４５】
このようにＡＴＭスイッチ４６を用いることにより、第２実施形態によれば、サービス無中断で旧ネットワークノード９０を新ネットワークノード１０へ移行することができる。また、本実施形態によれば、ＡＴＭスイッチ４６を用いて置き換えを行っているため、例えば新ネットワークノード１０に不具合があった場合であっても経路を元のように切り替えれば、直ぐに旧ネットワークノード９０へ復旧することができる。
【０１４６】
［変形例］
上述の実施形態では、ＩＭＴネットワークシステムにおけるＬ−ＭＳＣの置き換え手法を例に挙げているが、このような移動通信システムの移行に限定することなく、本発明は、ルータ、ゲートウェイ等の他の伝送装置の置き換えにも適用できる。その場合には、ユーザプロファイル以外の他のデータが引き継がれるようにすればよい。
【０１４７】
［その他］
〈ハードウェアの構成要素（Component）及びソフトウェアの構成要素（Component）について〉
ハードウェアの構成要素とは、ハードウェア回路であり、例えば、フィールド・プログラマブル・ゲートアレイ（ＦＰＧＡ）、特定用途向け集積回路（ＡＳＩＣ）、ゲートアレイ、論理ゲートの組み合わせ、信号処理回路、アナログ回路等がある。
【０１４８】
ソフトウェアの構成要素とは、ソフトウェアとして上記機能を実現する部品（断片）であり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processer）等）上で実現される。
【０１４９】
なお、上述の各実施形態は、上記各機能部の実現手法を限定するものではないため、上記各機能部は、上記ハードウェアの構成要素又はソフトウェアの構成要素若しくはこれらの組み合わせとして、本技術分野の通常の技術者において実現可能な手法により構成されていればよい。
【０１５０】
〈付記〉
以上の本実施形態に関し、更に以下の付記を開示する。各項に開示される態様は、必要に応じて可能な限り組み合わせることができる。
【０１５１】
（付記１）
冗長化された第１通信線により下位伝送装置に接続される運用中の第１伝送装置を第２伝送装置に置き換える伝送装置の置き換え方法において、
前記第１通信線に第１スイッチ装置を設置する第１ステップと、
前記第１伝送装置と前記第２伝送装置との間を第２スイッチ装置を介して第２通信線で接続する第２ステップと、
前記第１スイッチ装置と前記第２スイッチ装置とを第３通信線で接続する第３ステップと、
前記下位伝送装置が前記第２伝送装置に前記第３通信線を介して接続され、前記下位伝送装置と前記第１伝送装置との間及び前記第１伝送装置と前記第２伝送装置との間がそれぞれ接続されないように前記第１スイッチ装置及び前記第２スイッチ装置のスイッチ機構を切り替える切替ステップと、
を含む伝送装置の置き換え方法。
【０１５２】
（付記２）
前記第１伝送装置が、前記下位伝送装置から送られ前記第１通信線を介して受信された信号を前記第２通信線を用いて前記第２伝送装置へ転送する転送ステップと、
前記第２伝送装置が、前記転送ステップで転送された信号を処理するためのデータを保持していない場合に、そのデータを要求する要求信号を前記第２通信線を用いて前記第２伝送装置へ送信する送信ステップと、
前記第１伝送装置が、前記第１伝送装置で保持されるデータのうち前記要求信号で要求されるデータを前記第２通信線を用いて前記第２伝送装置へ移行する移行ステップと、
を更に含み、
前記切替ステップは、前記移行ステップにおいて前記第１伝送装置から前記第２伝送装置へ移行されるデータがなくなった後、前記スイッチ機構の切り替えを実行する、
付記１に記載の伝送装置の置き換え方法。
【０１５３】
（付記３）
冗長化された第１通信線により下位伝送装置に接続される運用中の第１伝送装置を第２伝送装置に置き換える伝送装置の置き換え方法において、
前記第１通信線にスイッチ装置を設置する第１ステップと、
前記スイッチ装置と前記第２伝送装置とを第２通信線及び第３通信線で接続する第２ステップと、
前記下位伝送装置と前記第２伝送装置との間が前記第１通信線及び前記第２通信線で接続され、前記第２伝送装置と前記第１伝送装置との間が前記第３通信線及び前記第１通信線で接続され、前記第１伝送装置と前記下位伝送装置との間が接続されないように、前記スイッチ装置のスイッチ機構を切り替える切替ステップと、
を含む伝送装置の置き換え方法。
【０１５４】
（付記４）
前記第２伝送装置が、前記下位伝送装置から送信された信号を前記第２通信線から受信する受信ステップと、
前記第２伝送装置が、前記受信ステップで受信された信号を処理するためのデータを保持していない場合に、そのデータを要求する要求信号を前記第１伝送装置へ前記第３通信線から送信する送信ステップと、
前記第１伝送装置が、保持されるデータのうち前記第１通信線から受信された要求信号で要求されるデータを前記第１通信線を用いて前記第２伝送装置へ移行する移行ステップと、
を更に含み、
前記切替ステップは、前記移行ステップにおいて前記第１伝送装置から前記第２伝送装置へ移行されるデータがなくなった後、前記第２伝送装置と前記第１伝送装置との間が接続されないように、前記スイッチ装置のスイッチ機構を切り替える、
付記３に記載の伝送装置の置き換え方法。
【０１５５】
（付記５）
冗長化された第１通信線により下位伝送装置に接続される運用中の第１伝送装置と、
前記第１伝送装置から置き換えられるための第２伝送装置と、
前記第１通信線に設置された第１スイッチ装置と、
前記第１伝送装置と前記第２伝送装置との間を接続する第２通信線に設置され、前記第１スイッチ装置と第３通信線で接続される第２スイッチ装置と、
を備え、
前記第１スイッチ装置は、
前記下位伝送装置と前記第２伝送装置との間が前記第３通信線で接続され、前記下位伝送装置と前記第１伝送装置との間が接続されないように切り替えるスイッチ機構、
を有し、
前記第２スイッチ装置は、
前記下位伝送装置と前記第２伝送装置との間が前記第３通信線で接続され、前記第１伝送装置と前記第２伝送装置との間が接続されないように切り替えるスイッチ機構、
を有する伝送システム。
【０１５６】
（付記６）
前記第１伝送装置は、
前記下位伝送装置から送られる対象信号を処理するためのデータを保持する保持手段と、
前記第１通信線を介して受信された前記対象信号を前記第２通信線を用いて前記第２
伝送装置へ転送する転送手段と、
を有し、
前記第２伝送装置は、
前記対象信号を処理するためのデータを保持する保持手段と、
前記第１伝送装置の前記転送手段で転送された前記対象信号を処理するためのデータが前記保持手段で保持されていない場合に、そのデータを要求する要求信号を前記第２通信線を用いて前記第２伝送装置へ送信する送信手段、
を有し、
前記第１伝送装置は、
前記保持手段で保持されるデータのうち前記要求信号で要求されるデータを前記第２通信線を用いて前記第２伝送装置へ移行する移行手段と、
を更に有し、
前記第１スイッチ装置及び前記第２スイッチ装置の各スイッチ機構は、前記第１伝送装置の前記保持手段により保持されるデータがなくなった後、前記切り替え処理を実行する、
付記５に記載の伝送システム。
【０１５７】
（付記７）
冗長化された第１通信線により下位伝送装置に接続される運用中の第１伝送装置と、
前記第１伝送装置から置き換えられるための第２伝送装置と、
前記第１通信線に設置され、前記第２伝送装置に第２通信線及び第３通信線で接続されるスイッチ装置と、
を備え、
前記スイッチ装置は、
前記下位伝送装置と前記第２伝送装置との間が前記第１通信線及び前記第２通信線で接続され、前記第２伝送装置と前記第１伝送装置との間が前記第３通信線及び前記第１通信線で接続され、前記第１伝送装置と前記下位伝送装置との間が接続されないように切り替えるスイッチ機構、
を有する伝送システム。
【０１５８】
（付記８）
前記第２伝送装置は、
前記下位伝送装置から送られる対象信号を処理するためのデータを保持する保持手段と、
前記下位伝送装置から送信された対象信号を前記第２通信線から受信する受信手段と、
前記受信手段で受信された信号を処理するためのデータが前記保持手段により保持されていない場合に、そのデータを要求する要求信号を前記第１伝送装置へ前記第３通信線から送信する送信手段と、
を有し、
前記第１伝送装置は、
前記下位伝送装置から送られる対象信号を処理するためのデータを保持する保持手段と、
前記保持手段により保持されるデータのうち前記第１通信線から受信された要求信号で要求されるデータを前記第１通信線を用いて前記第２伝送装置へ移行する移行手段と、
を有し、
前記スイッチ装置の前記スイッチ機構は、前記第１伝送装置の前記保持手段により保持されるデータがなくなった後、前記第２伝送装置と前記第１伝送装置との間が接続されないように、前記スイッチ装置のスイッチ機構を切り替える、
付記７に記載の伝送システム。
【図面の簡単な説明】
【０１５９】
【図１】ＩＰベースＩＭＴネットワークの構成を示す図である。
【図２】本実施形態におけるシステム移行を示す概念図である。
【図３】ユーザプロファイル情報の例を示す。
【図４】ユーザプロファイル情報の引き継ぎイメージを示す図である。
【図５】第１実施形態で用いられるＬ−ＭＳＣ９１の装置構成を示すブロック図である。
【図６】第１実施形態で用いられるＩＰ−ＬＭＳＣ１１の装置構成を示すブロック図である。
【図７】第１実施形態におけるシステム移行方法の第１ステップを示す図である。
【図８】第１実施形態におけるシステム移行方法の第２ステップを示す図である。
【図９】第１実施形態におけるシステム移行方法の第３ステップを示す図である。
【図１０】第１実施形態におけるシステム移行方法の第４ステップを示す図である。
【図１１】第１実施形態におけるシステム移行方法の第５ステップを示す図である。
【図１２】第１実施形態におけるシステム移行方法の第６ステップを示す図である。
【図１３】第１実施形態におけるユーザプロファイル引き継ぎ処理の第１パターンを示すシーケンス図である。
【図１４】第１実施形態におけるシステム移行方法のユーザプロファイル引き継ぎ処理の第２パターンを示すシーケンス図である。
【図１５】第２実施形態で用いられるＬ−ＭＳＣ９１の装置構成を示すブロック図である。
【図１６】第２実施形態で用いられるＩＰ−ＬＭＳＣ１１の装置構成を示すブロック図である。
【図１７】第２実施形態におけるシステム移行方法の第１ステップ及び第２ステップを示す図である。
【図１８】第２実施形態におけるシステム移行方法の第３ステップを示す図である。
【図１９】第２実施形態におけるシステム移行方法の第４ステップを示す図である。
【図２０】第２実施形態におけるシステム移行方法の第５ステップを示す図である。
【図２１】第２実施形態におけるユーザプロファイル引き継ぎ処理の第１パターンを示すシーケンス図である。
【図２２】第２実施形態におけるシステム移行方法のユーザプロファイル引き継ぎ処理の第２パターンを示すシーケンス図である。
【図２３】既存ＩＭＴネットワーク構成を示す図である。
【符号の説明】
【０１６０】
１０  新ネットワークノード
１１  ＩＰ−ＬＭＳＣ
１２  ＩＰ−ＧＭＳＣ
２１、５１  プロトコル部
２２、５２  中継機能部
２３、５３  呼処理部
２４、５４  プロファイル管理部
２５、５５  スイッチ機能部
２８、５８  プロファイルデータベース
３０  ユーザプロファイル
４１、４２、４６  ＡＴＭスイッチ
６１、６５、６６、８１、８２、８５  ＡＴＭ回線（２重化）
９０  旧ネットワークノード
９１  ローカル回線交換機（Ｌ−ＭＳＣ）
９２  ゲートウェイ回線交換機（Ｇ−ＭＳＣ）
９０３  加入者データベース（ＨＬＲ）
９１１  無線制御装置（ＲＮＣ）
９２０  ＰＳＴＮ
【図１】
2009272736.tif 000003
【図２】
2009272736.tif 000004
【図３】
2009272736.tif 000005
【図４】
2009272736.tif 000006
【図５】
2009272736.tif 000007
【図６】
2009272736.tif 000008
【図７】
2009272736.tif 000009
【図８】
2009272736.tif 000010
【図９】
2009272736.tif 000011
【図１０】
2009272736.tif 000012
【図１１】
2009272736.tif 000013
【図１２】
2009272736.tif 000014
【図１３】
2009272736.tif 000015
【図１４】
2009272736.tif 000016
【図１５】
2009272736.tif 000017
【図１６】
2009272736.tif 000018
【図１７】
2009272736.tif 000019
【図１８】
2009272736.tif 000020
【図１９】
2009272736.tif 000021
【図２０】
2009272736.tif 000022
【図２１】
2009272736.tif 000023
【図２２】
2009272736.tif 000024
【図２３】
2009272736.tif 000025